(57)【要約】【課題】  遠近法による作画に適した汎用性の高い作画用下敷きシートを得ること。【解決手段】  矩形の作画域１１を備えた作画用下敷きシート１０において、作画域１１には、１点透視のアイレベルとなる基準線１２と、１点透視に基づくパース線１３と、複数の平行線１４とを設け、基準線１２とそれに隣接する平行線１４との間には、パース線１３を省略してなるブランク部１５を設けた。又は、作画域２１には、２点透視に基づくパース線２３と、平行線２４とを設け、アイレベルは、作画域２１の外部に位置し、作画域２１の１辺と平行線２４との間には、パース線２３を省略してなるブランク部２５を設けた。作画域において区画される四角形の内部には、その四角形の対角線の交点を示すドットＤを設けた。作画域１１の４辺には、指標を有するスケールＳをそれぞれ設け、スケールＳは、向い合うもの同士で互いに指標の位置が対称となっている。【選択図】図１
2014177080.tif 000002
【特許請求の範囲】
【請求項１】
矩形の作画域を備えた作画用下敷きシートにおいて、
前記作画域には、１点透視のアイレベルとなる基準線と、前記１点透視に基づくパース線と、前記アイレベルに対して平行となる複数の平行線とを設け、
前記基準線とそれに隣接する前記平行線との間には、前記パース線を省略してなるブランク部を設けたことを特徴とする作画用下敷きシート。
【請求項２】
前記作画域の１辺を前記基準線としたことを特徴とする請求項１記載の作画用下敷きシート。
【請求項３】
前記アイレベル上に存在する消失点が前記基準線に位置し、前記基準線には、前記消失点を示す表示部を設けたことを特徴とする請求項１又は２記載の作画用下敷きシート。
【請求項４】
前記作画域の面積に占める前記ブランク部の面積の割合は、２−１８％の範囲であることを特徴とする請求項１乃至３のいずれか記載の作画用下敷きシート。
【請求項５】
前記パース線と前記平行線とで区画される四角形の内部には、その四角形の対角線の交点を示すドットを設けたことを特徴とする請求項１乃至４のいずれか記載の作画用下敷きシート。
【請求項６】
前記作画域の４辺には、指標を有するスケールをそれぞれ設け、
前記スケールは、向い合うもの同士で互いに前記指標の位置が対称となっていることを特徴とする請求項１乃至５のいずれか記載の作画用下敷きシート。
【請求項７】
矩形の作画域を備えた作画用下敷きシートにおいて、
前記作画域には、１点透視に基づくパース線と、前記１点透視のアイレベルに対して平行となる複数の平行線とを設け、
前記パース線と前記平行線とで区画される四角形の内部には、その四角形の対角線の交点を示すドットを設けたことを特徴とする作画用下敷きシート。
【請求項８】
矩形の作画域を備えた作画用下敷きシートにおいて、
前記作画域には、１点透視に基づくパース線と、前記１点透視のアイレベルに対して平行となる複数の平行線とを設け、
前記作画域の４辺には、指標を有するスケールをそれぞれ設け、
前記スケールは、向い合うもの同士で互いに前記指標の位置が対称となっていることを特徴とする作画用下敷きシート。
【請求項９】
矩形の作画域を備えた作画用下敷きシートにおいて、
前記作画域には、２点透視に基づくパース線と、前記２点透視のアイレベルに対して平行となる平行線とを設け、
前記アイレベルは、前記作画域の外部に位置し、
前記アイレベルに最も近い前記作画域の１辺と前記平行線との間には、前記パース線を省略してなるブランク部を設けたことを特徴とする作画用下敷きシート。
【請求項１０】
前記アイレベルに最も近い前記作画域の１辺は、前記アイレベルに対して平行であることを特徴とする請求項９記載の作画用下敷きシート。
【請求項１１】
前記作画域の面積に占める前記ブランク部の面積の割合は、３−２５％の範囲であることを特徴とする請求項９又は１０記載の作画用下敷きシート。
【請求項１２】
前記アイレベル上に存在する２つの消失点の位置を案内するための表示部を設けたことを特徴とする請求項９乃至１１のいずれか記載の作画用下敷きシート。
【請求項１３】
前記パース線で区画される四角形の内部には、その四角形の対角線の交点を示すドットを設けたことを特徴とする請求項９乃至１２のいずれか記載の作画用下敷きシート。
【請求項１４】
前記作画域の４辺には、指標を有するスケールをそれぞれ設け、
前記スケールは、向い合うもの同士で互いに前記指標の位置が対称となっていることを特徴とする請求項９乃至１３のいずれか記載の作画用下敷きシート。
【請求項１５】
矩形の作画域を備えた作画用下敷きシートにおいて、
前記作画域には、２点透視に基づくパース線を設け、
前記２点透視のアイレベルは、前記作画域の外部に位置し、
前記アイレベル上に存在する２つの消失点の位置を案内するための表示部を設けたことを特徴とする作画用下敷きシート。
【請求項１６】
矩形の作画域を備えた作画用下敷きシートにおいて、
前記作画域には、２点透視に基づくパース線を設け、
前記２点透視のアイレベルは、前記作画域の外部に位置し、
前記パース線で区画される四角形の内部には、その四角形の対角線の交点を示すドットを設けたことを特徴とする作画用下敷きシート。
【請求項１７】
矩形の作画域を備えた作画用下敷きシートにおいて、
前記作画域には、２点透視に基づくパース線を設け、
前記２点透視のアイレベルは、前記作画域の外部に位置し、
前記作画域の４辺には、指標を有するスケールをそれぞれ設け、
前記スケールは、向い合うもの同士で互いに前記指標の位置が対称となっていることを特徴とする作画用下敷きシート。
【発明の詳細な説明】
【技術分野】
【０００１】
本発明は、漫画やイラストなどの創作活動に利用する作画用下敷きシートに関する。
【背景技術】
【０００２】
漫画やイラストの作画において、遠近法は、背景をきれいに描くための重要な要素とされている。遠近法による作画の仕方は、非特許文献１乃至３などにも解説されている。１点透視法及び２点透視法は、遠近法の代表的な例である。
【０００３】
また、遠近法による作画のための定規や下敷きとしては、特許文献１乃至８にも開示されているように、様々なものが提案されている。
【先行技術文献】
【特許文献】
【０００４】
【特許文献１】実開昭５８−１６０１９９号公報
【特許文献２】実公昭６３−３４９５８号公報
【特許文献３】実公平５−３９９１７号公報
【特許文献４】実公平５−３９９１８号公報
【特許文献５】特開平９−２４８９９３号公報
【特許文献６】特開２０００−１２２５２４号公報
【特許文献７】特開２００１−１０５７８８号公報
【特許文献８】特開２００９−７８５３０号公報
【非特許文献１】ハードデラックス編著「ゼロから学べる！パースの基礎」株式会社ナツメ社出版
【非特許文献２】デヴィット・チェルシー著「パース！２  マンガでわかるもっとディープな遠近法」株式会社マール社出版
【非特許文献３】アーネスト・ノーリング著「かんたんパース」株式会社マール社出版
【発明の概要】
【発明が解決しようとする課題】
【０００５】
さて、漫画やイラストは、厳密な寸法が要求される設計図とは異なり、創作の自由度が高いものである。故に、遠近法を採用する場合であっても、取扱いが複雑な定規を用いることは不向きとされる。漫画やイラストの創作現場では、ラフ画を作成する際に補助的にパース線を引き、それを目安として背景を描き込む作業が行われている。
【０００６】
また、パース線を引く作業は手間がかかるので、パース線を設けた下敷きを予め用意しておき、必要に応じてそれを利用する場合もある。ただし、パース線はアイラインや消失点の取り方によって様々であるため、遠近法による全ての作画に利用できる下敷きを作ることはできない。
【０００７】
結論としては、漫画やイラストにおいて比較的多く利用され得るアイライン及び消失点の位置を設定し、それについて見やすい線の密度や、扱いやすい大きさといった利便性を考慮してなる下敷きが求められている。
【０００８】
本願発明者は、プロの漫画家やイラストレータの要望を調査したうえで、より優れた作画用下敷きシートを得るべく試作と鋭意検討を重ねた結果、極めて優れた構成の特定に至り、本発明を達成した次第である。
【０００９】
本発明は、かかる事情に鑑みてなされたものであり、その目的は、遠近法による作画に適した汎用性の高い作画用下敷きシートを得ることである。
【課題を解決するための手段】
【００１０】
本願第１請求項に記載した発明は、矩形の作画域（１１）を備えた作画用下敷きシート（１０）において、前記作画域（１１）には、１点透視のアイレベルとなる基準線（１２）と、前記１点透視に基づくパース線（１３）と、前記アイレベルに対して平行となる複数の平行線（１４）とを設け、前記基準線（１２）とそれに隣接する前記平行線（１４）との間には、前記パース線（１３）を省略してなるブランク部（１５）を設けた構成の作画用下敷きシート（１０）である。
【００１１】
本願第２請求項に記載した発明は、請求項１において、前記作画域（１１）の１辺を前記基準線（１２）とした構成の作画用下敷きシート（１０）である。
【００１２】
本願第３請求項に記載した発明は、請求項１又は２において、前記アイレベル上に存在する消失点が前記基準線（１２）に位置し、前記基準線（１２）には、前記消失点を示す表示部（１６）を設けた構成の作画用下敷きシート（１０）である。
【００１３】
本願第４請求項に記載した発明は、請求項１乃至３のいずれかにおいて、前記作画域（１１）の面積に占める前記ブランク部（１５）の面積の割合は、２−１８％の範囲である構成の作画用下敷きシート（１０）である。
【００１４】
本願第５請求項に記載した発明は、請求項１乃至４のいずれかにおいて、前記パース線（１３）と前記平行線（１４）とで区画される四角形の内部には、その四角形の対角線の交点を示すドット（Ｄ）を設けた構成の作画用下敷きシート（１０）である。
【００１５】
本願第６請求項に記載した発明は、請求項１乃至５のいずれかにおいて、前記作画域（１１）の４辺には、指標を有するスケール（Ｓ）をそれぞれ設け、前記スケール（Ｓ）は、向い合うもの同士で互いに前記指標の位置が対称となっている構成の作画用下敷きシート（１０）である。
【００１６】
本願第７請求項に記載した発明は、矩形の作画域（１１）を備えた作画用下敷きシート（１０）において、前記作画域（１１）には、１点透視に基づくパース線（１３）と、前記１点透視のアイレベルに対して平行となる複数の平行線（１４）とを設け、前記パース線（１３）と前記平行線（１４）とで区画される四角形の内部には、その四角形の対角線の交点を示すドット（Ｄ）を設けた構成の作画用下敷きシート（１０）である。
【００１７】
本願第８請求項に記載した発明は、矩形の作画域（１１）を備えた作画用下敷きシート（１０）において、前記作画域（１１）には、１点透視に基づくパース線（１３）と、前記１点透視のアイレベルに対して平行となる複数の平行線（１４）とを設け、前記作画域の４辺には、指標を有するスケール（Ｓ）をそれぞれ設け、前記スケール（Ｓ）は、向い合うもの同士で互いに前記指標の位置が対称となっている構成の作画用下敷きシート（１０）である。
【００１８】
本願第９請求項に記載した発明は、矩形の作画域（２１）を備えた作画用下敷きシート（２０）において、前記作画域（２１）には、２点透視に基づくパース線（２３）と、前記２点透視のアイレベルに対して平行となる平行線（２４）とを設け、前記アイレベルは、前記作画域（２１）の外部に位置し、前記アイレベルに最も近い前記作画域（２１）の１辺と前記平行線（２４）との間には、前記パース線（２３）を省略してなるブランク部（２５）を設けた構成の作画用下敷きシート（２０）である。
【００１９】
本願第１０請求項に記載した発明は、請求項９において、前記アイレベルに最も近い前記作画域（２１）の１辺は、前記アイレベルに対して平行である構成の請求項９記載の作画用下敷きシート（２０）である。
【００２０】
本願第１１請求項に記載した発明は、請求項９又は１０において、前記作画域（２１）の面積に占める前記ブランク部（２５）の面積の割合は、３−２５％の範囲である構成の作画用下敷きシート（２０）である。
【００２１】
本願第１２請求項に記載した発明は、請求項９乃至１１のいずれかにおいて、前記アイレベル上に存在する２つの消失点の位置を案内するための表示部（２６）を設けた構成の作画用下敷きシート（２０）である。
【００２２】
本願第１３請求項に記載した発明は、請求項９乃至１２のいずれかにおいて、前記パース線（２３）で区画される四角形の内部には、その四角形の対角線の交点を示すドット（Ｄ）を設けた構成の作画用下敷きシート（２０）である。
【００２３】
本願第１４請求項に記載した発明は、請求項９乃至１３のいずれかにおいて、前記作画域（２１）の４辺には、指標を有するスケール（Ｓ）をそれぞれ設け、前記スケール（Ｓ）は、向い合うもの同士で互いに前記指標の位置が対称となっている構成の作画用下敷きシート（２０）である。
【００２４】
本願第１５請求項に記載した発明は、矩形の作画域（２１）を備えた作画用下敷きシート（２０）において、前記作画域（２１）には、２点透視に基づくパース線（２３）を設け、前記２点透視のアイレベルは、前記作画域（２１）の外部に位置し、前記アイレベル上に存在する２つの消失点の位置を案内するための表示部（２６）を設けた構成の作画用下敷きシート（２０）である。
【００２５】
本願第１６請求項に記載した発明は、矩形の作画域（２１）を備えた作画用下敷きシート（２０）において、前記作画域（２１）には、２点透視に基づくパース線（２３）を設け、前記２点透視のアイレベルは、前記作画域（２１）の外部に位置し、前記パース線（２３）で区画される四角形の内部には、その四角形の対角線の交点を示すドット（Ｄ）を設けた構成の作画用下敷きシート（２０）である。
【００２６】
本願第１７請求項に記載した発明は、矩形の作画域（２１）を備えた作画用下敷きシート（２０）において、前記作画域（２１）には、２点透視に基づくパース線（２３）を設け、前記２点透視のアイレベルは、前記作画域（２１）の外部に位置し、前記作画域（２１）の４辺には、指標を有するスケール（Ｓ）をそれぞれ設け、前記スケール（Ｓ）は、向い合うもの同士で互いに前記指標の位置が対称となっている構成の作画用下敷きシート（２０）である。
【発明の効果】
【００２７】
本発明によれば、遠近法による作画に適した汎用性の高い作画用下敷きシートを得ることができる。
【図面の簡単な説明】
【００２８】
【図１】本発明の実施例に係り、作画用下敷きシート（１点透視）を示す正面図である。
【図２】本発明の実施例に係り、作画用下敷きシート（２点透視）を示す正面図である。
【図３】本発明の実施例に係り、作画用下敷きシートの説明図である。
【図４】本発明の実施例に係り、作画用下敷きシートの説明図である。
【図５】本発明の実施例に係り、作画用下敷きシートの説明図である。
【図６】本発明の実施例に係り、作画用下敷きシートの説明図である。
【図７】本発明の実施例に係り、作画用下敷きシートの説明図である。
【図８】本発明の実施例に係り、作画用下敷きシートの説明図である。
【図９】本発明の実施例に係り、作画用下敷きシートの説明図である。
【図１０】本発明の実施例に係り、作画用下敷きシートの説明図である。
【図１１】本発明の実施例に係り、作画用下敷きシートの説明図である。
【図１２】本発明の実施例に係り、作画用下敷きシートの説明図である。
【図１３】本発明の実施例に係り、作画用下敷きシートの説明図である。
【図１４】本発明の実施例に係り、作画用下敷きシートの説明図である。
【図１５】本発明の実施例に係り、作画用下敷きシートの説明図である。
【図１６】本発明の実施例に係り、作画用下敷きシートの説明図である。
【図１７】本発明の実施例に係り、作画用下敷きシートの説明図である。
【図１８】本発明の実施例に係り、作画用下敷きシートの説明図である。
【図１９】本発明の実施例に係り、作画用下敷きシートの説明図である。
【図２０】本発明の実施例に係り、作画用下敷きシートの説明図である。
【図２１】本発明の実施例に係り、作画用下敷きシートの説明図である。
【図２２】本発明の実施例に係り、作画用下敷きシートの説明図である。
【図２３】本発明の実施例に係り、作画用下敷きシートの説明図である。
【図２４】本発明の実施例に係り、作画用下敷きシートの説明図である。
【図２５】本発明の実施例に係り、作画用下敷きシートの説明図である。
【図２６】本発明の実施例に係り、作画用下敷きシートの説明図である。
【図２７】本発明の実施例に係り、作画用下敷きシートの説明図である。
【図２８】本発明の実施例に係り、作画用下敷きシートの説明図である。
【図２９】本発明の実施例に係り、作画用下敷きシートの説明図である。
【図３０】本発明の実施例に係り、作画用下敷きシートの説明図である。
【図３１】本発明の実施例に係り、作画用下敷きシートの説明図である。
【図３２】本発明の実施例に係り、作画用下敷きシートの説明図である。
【図３３】本発明の実施例に係り、作画用下敷きシートの説明図である。
【図３４】本発明の実施例に係り、作画用下敷きシートの説明図である。
【発明を実施するための形態】
【００２９】
以下に、本発明の実施例を図面に基づいて説明する。図１に示す本例の作画用下敷きシート１０は、透明又は半透明の樹脂製のシートに印刷を施してなるものである。この作画用下敷きシート１０は、矩形の作画域１１を備え、作画域１１の上に重ねて固定した用紙に作画を行うものとなっている。その大きさは特に限定はしないが、図例したものはＪＩＳ規格でＢ４サイズである。
【００３０】
作画域１１には、１点透視のアイレベルとなる基準線１２と、１点透視に基づくパース線１３と、アイレベルに対して平行となる複数の平行線１４とが設けられている。パース線としては、複数の太線と、太線の間をさらに分割する細線（鎖線）とが設けられている。平行線１４の間隔は、見た目によるとアイレベルに近づくほど短くなるものの、遠近法における分割により、その遠近空間における距離が等くなるように設けられている。また、基準線１２とそれに隣接する平行線１４との間には、パース線１３を省略してなるブランク部１５が設けられている。本例の場合、作画域１１の１辺が基準線１２となっている。そして、アイレベル上に存在する消失点が基準線１２に位置し、基準線１２には、消失点を示す表示部１６が設けられている。図例したものは、消失点が基準線１３の中央に位置するものである。
【００３１】
作画域１１の面積に占めるブランク部１５の面積の割合は、２−１８％の範囲となっている。１点透視によると、消失点に近づくほどパース線１３及び平行線１４が密集する。パース線１３が密集しすぎると、作画の際にむしろ不便であるため、本例ではこのようなブランク部１５を設けている。ブランク部１５の面積の割合は、作画域１１にバランスよくパース線１３及び平行線１４を設けた場合の密集の度合いを考慮し、その場合における作画に好適な範囲となっている。
【００３２】
パース線１３と平行線１４とで区画される四角形の内部には、その四角形の対角線の交点を示すドットＤが設けられている。具体的には、太線からなるパース線１３と平行線１４とで区画される四角形の内部にドットDが設けられている。面積が小さい四角形や細長い四角形については、密集を回避するためにドットDを省略している。作画の際にドットDを目安にすると、四角形の内部における分割が容易となる。また、ドットDを設けることによれば、パース線１３（特に太線）や平行線１４の本数を比較的少なくすることができるという利点もある。
【００３３】
作画域１１の４辺には、指標を有するスケールＳがそれぞれ設けられている。スケールＳは、向い合うもの同士で互いに指標の位置が対称となっている。指標の位置が対称であれば、それを目安とすることにより、作画域１１に対してすばやく上下方向の線及び左右方向の線を取ることができる。特に、１点透視の場合、作画域１１の２辺とアイレベルとが平行であれば、アイレベルに対して垂線を取る作業が正確且つ容易となる利点がある。
【００３４】
図２に示す本例の作画用下敷きシート２０は、前述した図１に示すものと同様に、透明又は半透明の樹脂製のシートに印刷を施してなるものである。この作画用下敷きシート２０は、矩形の作画域２１を備え、作画域２１の上に重ねて固定した用紙に作画を行うものとなっている。大きさは特に限定はしないが、図例したものはＪＩＳ規格でＢ４サイズである。
【００３５】
作画域２１には、２点透視に基づくパース線２３と、２点透視のアイレベルに対して平行となる平行線２４とが設けられている。パース線としては、複数の太線と、太線の間をさらに分割する細線（鎖線）とが設けられている。アイレベルは、作画域２１の外部に位置し、アイレベルに最も近い作画域２１の１辺と平行線２４との間には、パース線２３を省略してなるブランク部２５が設けられている。本例の場合、アイレベルに最も近い作画域２１の１辺は、アイレベルに対して平行となっている。
【００３６】
作画域２１の面積に占めるブランク部２５の面積の割合は、３−２５％の範囲となっている。２点透視によると、消失点に近づくほどパース線２３が密集する。パース線２３が密集しすぎると、作画の際にむしろ不便であるため、本例ではこのようなブランク部２５を設けている。ブランク部２５の面積の割合は、作画域２１にバランスよくパース線２３を設けた場合の密集の度合いを考慮し、その場合における作画に好適な範囲となっている。
【００３７】
ブランク部２６には、アイレベル上に存在する２つの消失点の位置を案内するための表示部２６が設けられている。本例によると、アイレベルが作画域２１の外部に位置するので、２つの消失点は作画域２１に含まれない。ただし、作画の際には消失点の位置を確認することもあり、このような表示部２６があると便利である。図例した表示部２６は、消失点の方向を示す矢印と、その消失点までの距離を示す数値とを、各消失点についてそれぞれ表示してなるものである。
【００３８】
パース線２３で区画される四角形の内部には、その四角形の対角線の交点を示すドットＤが設けられている。具体的には、太線からなるパース線２３で区画される四角形の内部にドットDが設けられている。面積が小さい四角形や細長い四角形については、密集を回避するためにドットDを省略している。作画の際にドットDを目安にすると、四角形の内部における分割が容易となる。また、ドットDを設けることによれば、パース線２３（特に太線）の本数を比較的少なくすることができるという利点もある
【００３９】
作画域２１の４辺には、指標を有するスケールＳがそれぞれ設けられている。スケールＳは、向い合うもの同士で互いに指標の位置が対称となっている。指標の位置が対称であれば、それを目安とすることにより、作画域２１に対してすばやく上下方向の線及び左右方向の線を取ることができる。特に、２点透視の場合、作画域２１の２辺とアイレベルとが平行であれば、アイレベルに対して垂線や平行線を取る作業が正確且つ容易となる利点がある。
【００４０】
以上説明したように、本例の作画用下敷きシートは、その汎用性を向上するべく極めて合理的に構成されたものである。尚、本例における各部の構成は、特許請求の範囲に記載した技術的範囲において適宜に設計変更が可能であり、図例説明したものに限定されないことは勿論である。アイレベル及び消失点は、適宜設定することが可能である。また、アイレベル及び消失点がそれぞれ異なる複数の作画用下敷きシートを組合わせて、遠近法の作画用ユニットとすることも可能である。
【００４１】
図３乃至図３４は、図１に示す１点透視の作画用下敷きシート１０と、図２に示す２点透視の作画用下敷きシート２１との組合わせからなるユニットの具体的な使用説明を記載したマニュアルの一例である。パースナビと称するものが、作画用下敷きシート１０，２０である。これらの図に示すように、本例の作画用下敷きシート１０，２０は、遠近法の様々な技法に対応することができる極めて優れたものである。
【産業上の利用可能性】
【００４２】
本発明は、漫画やイラストなどの創作活動に利用する作画用下敷きシートとして極めて好適に利用することが可能である。
【符号の説明】
【００４３】
１０    作画用下敷きシート（１点透視）
１１    作画域
１２    基準線
１３    パース線
１４    平行線
１５    ブランク部
１６    表示部
２０    作画用下敷きシート（２点透視）
２１    作画域
２３    パース線
２４    平行線
２５    ブランク部
２６    表示部
Ｄ    ドット
Ｓ    スケール
【図１】
2014177080.tif 000003
【図２】
2014177080.tif 000004
【図３】
2014177080.tif 000005
【図４】
2014177080.tif 000006
【図５】
2014177080.tif 000007
【図６】
2014177080.tif 000008
【図７】
2014177080.tif 000009
【図８】
2014177080.tif 000010
【図９】
2014177080.tif 000011
【図１０】
2014177080.tif 000012
【図１１】
2014177080.tif 000013
【図１２】
2014177080.tif 000014
【図１３】
2014177080.tif 000015
【図１４】
2014177080.tif 000016
【図１５】
2014177080.tif 000017
【図１６】
2014177080.tif 000018
【図１７】
2014177080.tif 000019
【図１８】
2014177080.tif 000020
【図１９】
2014177080.tif 000021
【図２０】
2014177080.tif 000022
【図２１】
2014177080.tif 000023
【図２２】
2014177080.tif 000024
【図２３】
2014177080.tif 000025
【図２４】
2014177080.tif 000026
【図２５】
2014177080.tif 000027
【図２６】
2014177080.tif 000028
【図２７】
2014177080.tif 000029
【図２８】
2014177080.tif 000030
【図２９】
2014177080.tif 000031
【図３０】
2014177080.tif 000032
【図３１】
2014177080.tif 000033
【図３２】
2014177080.tif 000034
【図３３】
2014177080.tif 000035
【図３４】
2014177080.tif 000036
【手続補正書】
【提出日】平成25年6月5日(2013.6.5)
【手続補正１】
【補正対象書類名】明細書
【補正対象項目名】００４１
【補正方法】変更
【補正の内容】
【００４１】
図３乃至図４３は、図１に示す１点透視の作画用下敷きシート１０と、図２に示す２点透視の作画用下敷きシート２１との組合わせからなるユニットの具体的な使用説明を記載したものである。これらの図に示すように、本例の作画用下敷きシート１０，２０は、遠近法の様々な技法に対応することができる極めて優れたものである。
【手続補正２】
【補正対象書類名】図面
【補正対象項目名】図３
【補正方法】変更
【補正の内容】
【図３】
2014177080.tif 000037
【手続補正３】
【補正対象書類名】図面
【補正対象項目名】図４
【補正方法】変更
【補正の内容】
【図４】
2014177080.tif 000038
【手続補正４】
【補正対象書類名】図面
【補正対象項目名】図５
【補正方法】変更
【補正の内容】
【図５】
2014177080.tif 000039
【手続補正５】
【補正対象書類名】図面
【補正対象項目名】図６
【補正方法】変更
【補正の内容】
【図６】
2014177080.tif 000040
【手続補正６】
【補正対象書類名】図面
【補正対象項目名】図７
【補正方法】変更
【補正の内容】
【図７】
2014177080.tif 000041
【手続補正７】
【補正対象書類名】図面
【補正対象項目名】図８
【補正方法】変更
【補正の内容】
【図８】
2014177080.tif 000042
【手続補正８】
【補正対象書類名】図面
【補正対象項目名】図９
【補正方法】変更
【補正の内容】
【図９】
2014177080.tif 000043
【手続補正９】
【補正対象書類名】図面
【補正対象項目名】図１０
【補正方法】変更
【補正の内容】
【図１０】
2014177080.tif 000044
【手続補正１０】
【補正対象書類名】図面
【補正対象項目名】図１１
【補正方法】変更
【補正の内容】
【図１１】
2014177080.tif 000045
【手続補正１１】
【補正対象書類名】図面
【補正対象項目名】図１２
【補正方法】変更
【補正の内容】
【図１２】
2014177080.tif 000046
【手続補正１２】
【補正対象書類名】図面
【補正対象項目名】図１３
【補正方法】変更
【補正の内容】
【図１３】
2014177080.tif 000047
【手続補正１３】
【補正対象書類名】図面
【補正対象項目名】図１４
【補正方法】変更
【補正の内容】
【図１４】
2014177080.tif 000048
【手続補正１４】
【補正対象書類名】図面
【補正対象項目名】図１６
【補正方法】変更
【補正の内容】
【図１６】
2014177080.tif 000049
【手続補正１５】
【補正対象書類名】図面
【補正対象項目名】図１７
【補正方法】変更
【補正の内容】
【図１７】
2014177080.tif 000050
【手続補正１６】
【補正対象書類名】図面
【補正対象項目名】図１８
【補正方法】変更
【補正の内容】
【図１８】
2014177080.tif 000051
【手続補正１７】
【補正対象書類名】図面
【補正対象項目名】図１９
【補正方法】変更
【補正の内容】
【図１９】
2014177080.tif 000052
【手続補正１８】
【補正対象書類名】図面
【補正対象項目名】図２０
【補正方法】変更
【補正の内容】
【図２０】
2014177080.tif 000053
【手続補正１９】
【補正対象書類名】図面
【補正対象項目名】図２２
【補正方法】変更
【補正の内容】
【図２２】
2014177080.tif 000054
【手続補正２０】
【補正対象書類名】図面
【補正対象項目名】図２４
【補正方法】変更
【補正の内容】
【図２４】
2014177080.tif 000055
【手続補正２１】
【補正対象書類名】図面
【補正対象項目名】図２５
【補正方法】変更
【補正の内容】
【図２５】
2014177080.tif 000056
【手続補正２２】
【補正対象書類名】図面
【補正対象項目名】図２６
【補正方法】変更
【補正の内容】
【図２６】
2014177080.tif 000057
【手続補正２３】
【補正対象書類名】図面
【補正対象項目名】図２８
【補正方法】変更
【補正の内容】
【図２８】
2014177080.tif 000058
【手続補正２４】
【補正対象書類名】図面
【補正対象項目名】図２９
【補正方法】変更
【補正の内容】
【図２９】
2014177080.tif 000059
【手続補正２５】
【補正対象書類名】図面
【補正対象項目名】図３０
【補正方法】変更
【補正の内容】
【図３０】
2014177080.tif 000060
【手続補正２６】
【補正対象書類名】図面
【補正対象項目名】図３２
【補正方法】変更
【補正の内容】
【図３２】
2014177080.tif 000061
【手続補正２７】
【補正対象書類名】図面
【補正対象項目名】図３３
【補正方法】変更
【補正の内容】
【図３３】
2014177080.tif 000062
【手続補正２８】
【補正対象書類名】図面
【補正対象項目名】図３４
【補正方法】変更
【補正の内容】
【図３４】
2014177080.tif 000063